(57)【要約】【課題】エンジン自動停止中のモーターの作動音が耳障りにならないようにする。【解決手段】空調制御装置は、車室内に音が放射されているか否かを検出する音検出部を有し、エンジン自動停止制御装置によってエンジンが自動停止した直後において、音検出部によって車室内に音が放射されていないと検出された場合には、モーターの作動量をエンジン自動停止前に比べて大きな所定作動量としてモーターを作動させるように構成されている。【選択図】図５
2014193640.tif 000002
【特許請求の範囲】
【請求項１】
車両のエンジンにより駆動される補機から供給される熱媒体との熱交換によって該車両の車室内への送風空気を冷却する冷却用熱交換器及び該送風空気を加熱する加熱用熱交換器を備え、
所定のエンジン停止条件が成立したときに上記エンジンを自動停止させるとともに、所定のエンジン再始動条件が成立したときに、該自動停止させたエンジンを再始動させるエンジン自動停止制御装置から出力される信号が入力されるように構成された車両用空調装置において、
上記空調装置は、上記冷却用熱交換器が配置される冷却通路と、上記加熱用熱交換器が配置される加熱通路と、上記冷却通路乃至上記加熱通路の開度を変更して上記吹出空気の温度を調整するエアミックスドアと、該エアミックスドアを駆動するモーターと、吹出空気の目標温度を設定してその目標温度となるように上記エアミックスドアの開度を演算し、該エアミックスドアが演算された開度となるように上記モーターを制御する空調制御装置とを備え、
上記空調制御装置は、車室内に音が放射されているか否かを検出する音検出部を有し、上記エンジン自動停止制御装置によってエンジンが自動停止した直後において、上記音検出部によって車室内に音が放射されていないと検出された場合には、上記モーターの作動量をエンジン自動停止前に比べて大きな所定作動量として該モーターを作動させるように構成されていることを特徴とする車両用空調装置。
【請求項２】
請求項１に記載の車両用空調装置において、
上記空調制御装置は、エンジンが自動停止している間にも上記エアミックスドアの開度を演算してエンジン自動停止中開度として得て、演算されたエンジン自動停止中開度が上記所定作動量に対応する開度となったときに、上記エアミックスドアが演算されたエンジン自動停止中開度となるように上記モーターを作動させるように構成されていることを特徴とする車両用空調装置。
【請求項３】
請求項１または２に記載の車両用空調装置において、
上記音検出部は、車両のワイパーが作動している場合に車室内に音が放射されていると判定する一方、上記ワイパーが非作動である場合に車室内に音が放射されていないと判定することを特徴とする車両用空調装置。
【請求項４】
請求項１から３のいずれか１つに記載の車両用空調装置において、
上記音検出部は、車両のオーディオが作動している場合に車室内に音が放射されていると判定する一方、上記オーディオが非作動である場合に車室内に音が放射されていないと判定することを特徴とする車両用空調装置。
【請求項５】
請求項１から４のいずれか１つに記載の車両用空調装置において、
上記音検出部は、車両のウインカーが作動している場合に車室内に音が放射されていると判定する一方、上記ウインカーが非作動である場合に車室内に音が放射されていないと判定することを特徴とする車両用空調装置。
【発明の詳細な説明】
【技術分野】
【０００１】
本発明は、所定の条件が成立したときにエンジンを自動停止させる自動停止機能付きの車両に搭載される車両用空調装置に関するものである。
【背景技術】
【０００２】
従来より、車両の燃料消費量や排気ガスの排出量を低減する手段の１つとして、車両が信号待ち等で停止したときに、エンジンを自動停止させる、いわゆる自動停止機能を備えた車両がある。
【０００３】
また、一般に、車両には、空調装置が設けられており、上記自動停止機能及び空調装置の両方を備えた車両の制御装置としては、例えば、特許文献１に開示されているものが知られている。特許文献１の空調装置は、エンジンにより駆動される補機としてのウォーターポンプから供給される熱媒体（エンジン冷却水）が流通する加熱用熱交換器と、補機としてのコンプレッサから供給される熱媒体（冷媒）が流通する冷却用熱交換器と、これらを収容するケーシングとを備えている。ケーシング内には、空調用空気が導入される空気通路が形成されるとともに、加熱用熱交換器を通過する空気量と冷却用熱交換器を通過する空気量とを変更して調和空気の温度を調節するエアミックスドアが設けられている。エアミックスドアは、モーターによって駆動される。
【０００４】
そして、上記制御装置では、エンジンの自動停止時に、加熱空気温度が低下したか、又は冷却空気温度が上昇した場合に、エアミックスドアの開度補正量を算出し、その開度補正量が所定以上となったときに、エアミックスドアの制御量単位を大きくし、この大きくした制御量単位でモーターを制御する。これにより、エンジン自動停止中のモーターの作動音の発生頻度を低減している。
【先行技術文献】
【特許文献】
【０００５】
【特許文献１】特開２０１０−７６５１７号公報
【発明の概要】
【発明が解決しようとする課題】
【０００６】
ところで、特許文献１の車両用空調装置ではエアミックスドアのモーターの制御量単位を大きくしているので、モーターの作動頻度は低くなるものの、モーターの作動時間は通常制御に比べて長くなり、モーターが作動してしまうとその作動音が耳障りになるという問題がある。
【０００７】
本発明は、かかる点に鑑みてなされたものであり、その目的とするところは、エンジン自動停止後のモーターの作動音が耳障りにならないようにすることにある。
【課題を解決するための手段】
【０００８】
上記目的を達成するために、本発明では、エンジン自動停止直後に、モーターを、エンジン自動停止前に比べて大きく作動させるようにした。
【０００９】
第１の発明は、車両のエンジンにより駆動される補機から供給される熱媒体との熱交換によって該車両の車室内への送風空気を冷却する冷却用熱交換器及び該送風空気を加熱する加熱用熱交換器を備え、
所定のエンジン停止条件が成立したときに上記エンジンを自動停止させるとともに、所定のエンジン再始動条件が成立したときに、該自動停止させたエンジンを再始動させるエンジン自動停止制御装置から出力される信号が入力されるように構成された車両用空調装置において、
上記空調装置は、上記冷却用熱交換器が配置される冷却通路と、上記加熱用熱交換器が配置される加熱通路と、上記冷却通路乃至上記加熱通路の開度を変更して上記吹出空気の温度を調整するエアミックスドアと、該エアミックスドアを駆動するモーターと、吹出空気の目標温度を設定してその目標温度となるように上記エアミックスドアの開度を演算し、該エアミックスドアが演算された開度となるように上記モーターを制御する空調制御装置とを備え、
上記空調制御装置は、車室内に音が放射されているか否かを検出する音検出部を有し、上記エンジン自動停止制御装置によってエンジンが自動停止した直後において、上記音検出部によって車室内に音が放射されていないと検出された場合には、上記モーターの作動量をエンジン自動停止前に比べて大きな所定作動量として該モーターを作動させるように構成されていることを特徴とするものである。
【００１０】
この構成によれば、エンジンが自動停止した直後に、例えば電装機器等によって車室内に音が放射されていない場合、モーターを大きな作動量として作動させるようにしている。エンジンの自動停止直後は、電装機器等によって車室内に音が放射されていなくても、エンジン停止直後の音の余韻やエンジン停止時の振動等によってモーターの作動音がかき消されるようになるので、乗員の耳に届きにくくなる。
【００１１】
第２の発明は、第１の発明において、
上記空調制御装置は、エンジンが自動停止している間にも上記エアミックスドアの開度を演算してエンジン自動停止中開度として得て、演算されたエンジン自動停止中開度が上記所定作動量に対応する開度となったときに、上記エアミックスドアが演算されたエンジン自動停止中開度となるように上記モーターを作動させるように構成されていることを特徴とするものである。
【００１２】
この構成によれば、乗員の快適性を確保するために必要なエアミックスドアの開度をエンジンの自動停止中であっても得ることが可能になる。そして、その開度となるようにエアミックスドアを作動させることで、エアミックスドアの開度が現在の車両の空調状態に応じた開度になる。
【００１３】
第３の発明は、第１または２の発明において、
上記音検出部は、車両のワイパーが作動している場合に車室内に音が放射されていると判定する一方、上記ワイパーが非作動である場合に車室内に音が放射されていないと判定することを特徴とするものである。
【００１４】
すなわち、車両のワイパーが作動していると、ワイパーの作動音や雨の音が車室内に放射されることになるので、車室内に音が放射されているか否かを確実に検出することが可能になる。
【００１５】
第４の発明は、第１から３のいずれか１つの発明において、
上記音検出部は、車両のオーディオが作動している場合に車室内に音が放射されていると判定する一方、上記オーディオが非作動である場合に車室内に音が放射されていないと判定することを特徴とするものである。
【００１６】
この構成によれば、車室内に音が放射されているか否かを確実に検出することが可能になる。
【００１７】
第５の発明は、第１から４のいずれか１つの発明において、
上記音検出部は、車両のウインカーが作動している場合に車室内に音が放射されていると判定する一方、上記ウインカーが非作動である場合に車室内に音が放射されていないと判定することを特徴とするものである。
【発明の効果】
【００１８】
第１の発明によれば、エンジンが自動停止した直後にエンジン自動停止前に比べて大きな所定作動量としてモーターを作動させるようにしたので、モーターの作動音がエンジン停止時の音の余韻やエンジンの振動にかき消されて耳障りにならないようにすることができる。
【００１９】
第２の発明によれば、エアミックスドアの開度をエンジンの自動停止中に得ることができるので、乗員の快適性を向上させることができる。
【００２０】
第３、４、５の発明によれば、車室内に音が放射されているか否かを確実に検出することができる。
【図面の簡単な説明】
【００２１】
【図１】空調装置の概略構造を説明する図である。
【図２】車室前側の斜視図である。
【図３】本発明の実施形態に係る車両の制御装置の構成を示すブロック図である。
【図４】エアコン制御ユニットの制御動作を示すフローチャートである。
【図５】エアミックス制御のメインルーチンを示すフローチャートである。
【図６】エンジン自動停止時第１エアミックス制御の手順を示すフローチャートである。
【図７】係数Ｋ１を求めるためのグラフである。
【図８】係数Ｋ２を求めるためのグラフである。
【図９】エアミックスドアの開度補正量を得るためのグラフである。
【図１０】冷房時におけるエアミックスドアの開度を求めるためのグラフである。
【図１１】暖房時におけるエアミックスドアの開度を求めるためのグラフである。
【図１２】吹出温度予測手順を示すフローチャートである。
【発明を実施するための形態】
【００２２】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００２３】
本発明の実施形態に係る車両用空調装置１は、例えば乗用自動車に搭載されるものである。この車両には、図３に示すように、車両の制御装置１００が搭載されている。車両の制御装置１００は、空調装置１の他に、空調装置１を制御するエアコン制御ユニット２（空調制御装置）と、当該車両のエンジンの点火装置４や燃料噴射装置５等を制御するエンジン制御ユニット３と、エンジン制御ユニット３に対しエンジンの始動及び停止要求信号を出力する車両制御ユニット（エンジン自動停止制御装置）６とを備えている。
【００２４】
詳細は後述するが、エンジンのアイドリング中に、車両側のアイドリング停止条件が成立し、かつ、空調装置１側のアイドリング停止条件が成立したときには、乗員のイグニッション操作によらず、上記車両制御ユニット６によってエンジンのアイドリングを自動停止させるようにしている。
【００２５】
上記空調装置１は、車室の前端部に配設されたインストルメントパネルＩＰ（図２に示す）内に収容されている。インストルメントパネルＩＰの左右略中央部には、空調装置１の操作パネルＢが配設されている。このインストルメントパネルＩＰの車体後方には、車体右側に運転席（図示せず）が配設され、左側に助手席（図示せず）が配設されている。インストルメントパネルＩＰの前端部には、フロントウインド（図示せず）の内面に向けて空調風が吹き出すデフロスタ口７が開口している。インストルメントパネルＩＰの上側の左右両端部には、サイドウインド（図示せず）の内面に向けて空調風が吹き出すデミスタ口８がそれぞれ開口している。インストルメントパネルＩＰの左右方向略中央部には、乗員の上半身に向けて空調風が吹き出すセンタベント口９が開口している。インストルメントパネルＩＰの左右方向両端部近傍にも、乗員の上半身に向けて空調風が吹き出すサイドベント口１０が開口している。
【００２６】
図１に示すように、上記空調装置１は、樹脂材を成形してなるケース２０を備えている。このケース２０には空気導入部２１と温度調節部２２と空調風分配部２３とが設けられている。尚、ケース２０は、例えば空気導入部２１と温度調節部２２と空調風分配部２３とに３分割されたものや、空気導入部２１と、温度調節部２２及び空調風分配部２３とに２分割されたものであってもよい。
【００２７】
上記空気導入部２１には、車室内で開口し車室内の空気をケース２０内に取り入れるための内気導入口２５と、車室外に連通するダクト（図示せず）に接続され車室外の空気をケース２０内に取り入れるための外気導入口２６とが形成されている。空気導入部２１の内部には、上記内気導入口２５と外気導入口２６との一方を開いて他方を閉じる内外気切替ドア２７が設けられている。この内外気切替ドア２７は、ケース２０の外面に固定された内外気アクチュエータモーター２８（図３に示す）により動作して、内気導入口２５及び外気導入口２６の一方を開き他方を閉じるようになっている。この内外気アクチュエータモーター２８は、周知の構造のものである。この内外気アクチュエータモーター２８により、動作モードとしての内外気モードが、内気のみをケース２０に導入する内気導入モードと、外気のみをケース２０に導入する外気導入モードとに切り替えられるようになっている。
【００２８】
上記空気導入部２１の内部における内外気切替ドア２７よりも空気流れ方向下流側には、ケース２０内に導入された空気を濾過するためのエアフィルタ３１と送風ファン３２とが下流側へ向けて順に設けられている。送風ファン３２は遠心式ファンであり、回転軸が上下方向に延びるように配置されている。送風ファン３２の下部には、該送風ファン３２を回転駆動するためのブロアモーター３３が配置されている。このブロアモーター３３は、一部がケース２０の外部に突出した状態で該ケース２０に固定されている。
【００２９】
上記空気導入部２１の空気流れ方向下流側に上記温度調節部２２が位置している。温度調節部２２の内部には、冷風通路２２ａが形成されていて、この冷風通路２２ａには、冷却用熱交換器としてのエバポレータ３５が収容されている。このエバポレータ３５と、エンジンにより駆動される補機としてのコンプレッサー３６（図３に示す）と、冷媒凝縮器（図示せず）と、膨張弁（図示せず）とで周知の冷凍サイクルが構成されている。エバポレータ３５は、複数のチューブとフィン（共に図示せず）とを交互に並べて一体化したチューブアンドフィンタイプの熱交換器である。エバポレータ３５には、熱媒体としての冷媒が２本のクーラパイプ（図示せず）を介して給排され、この冷媒がチューブを流通するようになっている。エバポレータ３５のフィン間を通過する空気がチューブを流通する冷媒と熱交換し、これによって空気が冷却される。また、エバポレータ３５の空気流れ下流側には、エバポレータ３５の温度状態（表面温度）を検出するための温度センサからなるエバセンサ３７が配設されている。
【００３０】
上記温度調節部２２内部のエバポレータ３５よりも下流側には、加熱通路２２ｂが形成されていて、この加熱通路２２ｂには、加熱用熱交換器としてのヒータコア４３が収容されている。このヒータコア４３は、エバポレータ３５と同様なチューブアンドフィンタイプの熱交換器である。ヒータコア４３には、上記エンジンにより駆動される補機としてのウォーターポンプ（図示せず）から熱媒体としてのエンジン冷却水が２本のヒータパイプ（図示せず）を介して給排されるようになっている。このヒータコア４３を通過する空気がチューブを流通するエンジン冷却水と熱交換し、これによって空気が加熱される。また、ヒータコア４３の空気流れ下流側には、ヒータコア４３の温度状態を検出するための温度センサからなるヒータコアセンサ３８が配設されている。
【００３１】
加熱通路２２ｂの側方には、エバポレータ３５を通過した空気を、ヒータコア４３をバイパスして流すバイパス通路４４が形成されている。バイパス通路４４の下流側には、バイパス通路４４を流れた空気と加熱通路２２ｂを流れた空気とを混合させて所望温度の調和空気（吹出空気）を得るためのエアミックス空間４５が形成されている。
【００３２】
上記エバポレータ３５とヒータコア４３との間には、加熱通路２２ｂの開閉度合い（開度）を変更するエアミックスドア４６が配設されている。エアミックスドア４６は、ケース２０の外面に固定されたエアミックスアクチュエータモーター４８（図３に示す）により動作するようになっている。エアミックスアクチュエータモーター４８は、上記内外気アクチュエータモーター２８と同様に構成されている。
【００３３】
上記エアミックスアクチュエータモーター４８を動作させてエアミックスドア４６による加熱通路２２ｂの開度を変更することにより、バイパス通路４４を流れる空気量と加熱通路２２ｂを流れる空気量との比率が変更され、その結果、ヒータコア４３を通過する空気量とバイパス通路４４を通過する空気量とが変更されて、エアミックス空間４５で得られる調和空気の温度が変更される。
【００３４】
エアミックスドア４６の開度が０％のときには、加熱通路２２ｂが全閉とされ、かつ、バイパス通路４４が全開とされ、１００％のときには加熱通路２２ｂが全開とされ、かつ、バイパス通路４４が全閉とされるようになっている。エアミックスドア４６の開度は、上記した０％〜１００％の間で任意の値に設定されるようになっている。
【００３５】
上記温度調節部２２の空気流れ方向下流側に、上記エアミックス空間４５に連通する空調風分配部２３が位置している。空調風分配部２３の内部には、エアミックス空間４５から分岐して延びるベント通路４７、ヒート通路４９及びデフロスタ通路５９が形成されている。ベント通路４７の下流端部はベント吹出口５０としてケース２０の外面に開口し、ヒート通路４９の下流端部はヒート吹出口５１として同様に開口し、デフロスタ通路５９の下流端部はデフロスタ吹出口５２として同様に開口している。
【００３６】
ベント吹出口５０には、インストルメントパネルＩＰのセンタベント口９及びサイドベント１０に連通するベントダクト５３の上流端が接続されている。また、ヒート吹出口５１には、前席乗員の足下及び後席乗員の足下近傍まで延びるヒートダクト５４（図２にその一部を示す）の上流端が接続されている。また、デフロスタ吹出口５２には、インストルメントパネルＩＰのデフロスタ口７及びデミスタ口８に連通するデフロスタダクト５５の上流端が接続されている。上記ベント通路４７、ヒート通路４９及びデフロスタ通路５９は、空調風分配部２３の内部に配設されたベントドア５６、ヒートドア５７及びデフロスタドア５８により個別に開閉されるようになっている。
【００３７】
上記ベントドア５６、ヒートドア５７及びデフロスタドア５８は、図示しないが、リンク部材によって連結されており、吹出モードを切り替えるための吹出モードアクチュエータモーター６０（図３に示す）により互いに連動して動作するようになっている。上記吹出モードアクチュエータモーター６０は、上記内外気アクチュエータモーター２８と同様にサーボモータを内蔵した周知の構造のものであり、ケース２０の外面に固定されている。
【００３８】
吹出モードアクチュエータモーター６０の作動によって吹出モードを切り替えることができるようになっている。吹出モードは、ベントドア５６を全開にしてヒートドア５７及びデフロスタドア５８を全閉にするベントモード（ＶＥＮＴ）、ベントドア５６及びヒートドア５７を開いてデフロスタドア５８を全閉にするバイレベルモード（Ｂ／Ｌ）、ベントドア５６及びデフロスタドア５８を全閉にしてヒートドア５７を全開にするヒートモード（ＨＥＡＴ）、ヒートドア５７及びデフロスタドア５８を開いてベントドア５６を全閉にするデフヒートモード（Ｄ／Ｈ）、デフロスタドア５８を全開にしてベントドア５６及びヒートドア５７を全閉にするデフロスタモード（ＤＥＦ）がある。
【００３９】
また、この空調装置１は、図３に示すように、外気センサ６５、内気センサ６６及び日射センサ６７を備えている。外気センサ６５は、車両周囲の外気温度（車室外の空気の温度）を検出するための温度センサであり、フロントグリル（図示せず）近傍やドアミラー（図示せず）近傍等の車室外に配設されている。上記内気センサ６６は、車室内温度を検出するための温度センサであり、図２に示すように、インストルメントパネルＩＰの運転席側に配設されている。この内気センサ６６には、過渡応答を遅らせるために時定数が設けられている。上記日射センサ６７は、車室内に差し込んでくる太陽光の強さである日射量を検出するためのものであり、インストルメントパネルＩＰの前端部に配設されている。
【００４０】
上記インストルメントパネルＩＰの操作パネルＢには、図３に示すように、温度設定スイッチ６８、吹出モードスイッチ６９、エアコンスイッチ７０、内外気切替スイッチ７１、ファンスイッチ７２、エアコン優先スイッチ７３、ＤＥＦスイッチ８０が配設されている。上記温度設定スイッチ６８は、乗員が車室の設定温度を所望温度に変更してセットするためのものである。上記吹出モードスイッチ６９は、空調風の吹出モードを乗員が選択する場合に操作されるものである。
【００４１】
上記エアコンスイッチ７０は、冷凍サイクルのコンプレッサー３６の動作モードを設定するためのものであり、コンプレッサー３６を通常運転させるＡ／Ｃモードを選択するためのＡ／Ｃポジションと、弱冷房でよい場合のエコノミーモード（ＥＣＯモード）を選択するためのＥＣＯポジションと、コンプレッサー３６を運転させないＯＦＦモードを選択するためのＯＦＦポジションとを備えており、乗員が３つのポジションから任意の１つを選択できるようになっている。
【００４２】
内外気切替スイッチ７１は、空気の導入モードを内気導入モードと外気導入モードとを切り替えるためのものである。ファンスイッチ７２は、ファン３２による送風量（吹出空気の風量）を多段階に増減させるためのものである。エアコン優先スイッチ７３は、エンジンのアイドリングを自動停止させないエアコン優先モードと、アイドリングの自動停止を許可する所定条件の場合にはアイドリングを自動停止させるアイドリング停止モードとに切り替えるためのものである。つまり、この車両においては、乗員の意志により、アイドリング停止機能を解除することができるようになっている。
【００４３】
ＤＥＦスイッチ８０は、窓の曇を晴らす場合に操作するためのものであり、ＯＮにすると、デフロスタモードとなって風量が増大されるようになっている。
【００４４】
上記エアコン制御ユニット２は、図示しないが、中央演算処理装置、ランダムアクセスメモリ（ＲＡＭ）、読み出し専用メモリ（ＲＯＭ）、入出力ポート等を有しており、車載バッテリー（図示せず）から電力供給を受けて作動するようになっている。エアコン制御ユニット２の入出力ポートには、上記スイッチ６８〜７３が接続されるとともに、外気センサ６５、内気センサ６６、日射センサ６７、エバセンサ３７、ヒータコアセンサ３８、ブロアモーター３３、アクチュエータモーター２８、４８、６０が接続されている。尚、エアコン制御ユニット２には、吹出モード、導入モード及び送風量を車室の空調状態に適するように自動的に設定する自動空調モードと、乗員が手動で設定する手動モードとがあり、乗員によって一方が選択されるようになっている。
【００４５】
上記エンジン制御ユニット３には、点火装置４、燃料噴射装置５及びコンプレッサー３６が信号線を介して接続されている。このエンジン制御ユニット３により、コンプレッサー３６の電磁クラッチが断続制御されるようになっている。電磁クラッチが接続状態のときには、エンジンの動力がコンプレッサー３６に伝わり、断状態のときには、動力が伝わらないようになっている。
【００４６】
上記エンジン制御ユニット３と、エアコン制御ユニット２とは、信号線を介して接続されている。エアコン制御ユニット２がコンプレッサー３６を作動させる必要があると判断したときには、コンプレッサーＯＮ信号をエンジン制御ユニット３に送信し、このコンプレッサーＯＮ信号を受けたエンジン制御ユニット３はコンプレッサー３６の電磁クラッチを接続状態にし、一方、エアコン制御ユニット２がコンプレッサー３６を作動させる必要がないと判断したときには、コンプレッサーＯＦＦ信号をエンジン制御ユニット３に送信し、このコンプレッサーＯＦＦ信号を受けたエンジン制御ユニット３は電磁クラッチを断状態にするようになっている。
【００４７】
エアコン制御ユニット２は、自動空調モードとされている場合には、所定のプログラムに従って上記各センサ３７、３８、６５〜６７からの入力信号やスイッチ６８〜７３からの入力信号を処理し、空調装置１の動作モードを決定して、ブロアモーター３３やアクチュエータモーター２８、４８、６０を制御するように構成されている。
【００４８】
また、エアコン制御ユニット２は、エンジンのアイドリング自動停止中に、エバポレータ３５とヒータコア４３との温度状態とを得て調和空気の温度が所望温度となるように温度調節部２２を制御し、さらに、エバポレータ３５とヒータコア４３との温度状態に基づいてエンジンのアイドリングを自動停止させておく時間を変更するようになっている。
【００４９】
上記車両制御ユニット６には、乗員が操作する自動変速機のセレクトレバーがどの変速レンジ位置にあるかを検出するインヒビタスイッチ７５、当該車両の車速を検出する車速センサ７６及びブレーキペダルの踏み込み操作を検出するブレーキスイッチ７７が信号線を介して接続されている。また、車両制御ユニット６と上記エアコン制御ユニット２とは信号線で接続されており、エアコン制御ユニット２からは、該エアコン制御ユニット２で生成されたアイドリング停止許可信号と禁止信号とのうち、一方の信号が出力されて車両制御ユニット６に入力されるようになっている。また、車両制御ユニット６からは、エンジンが自動停止しているか否かの判別信号がエアコン制御ユニット２に対し出力されるようになっている。尚、車両が手動変速機を搭載している場合には、シフトレバーがどの位置にあるかを検出するセンサを設け、このセンサの信号を車両制御ユニット６に入力するようにすればよい。
【００５０】
また、図３に示すように、この車両に搭載されているオーディオ８１、ワイパー８２及びウインカー８３は、エアコン制御ユニット２に接続されている。また、エアコン制御ユニット２は、音検出部２ａを備えている。音検出部２ａは、車室内に音が放射されているか否かを検出するためのものであり、この実施形態では、オーディオ８１の作動状態、ワイパー８２の作動状態及びウインカー８３の作動状態に基づいて車室内に音が放射されているか否かを検出することができるようになっている。具体的には、音検出部２ａは、オーディオ８１、ワイパー８２及びウインカー８３の作動、非作動を検出する。オーディオ８１が作動している場合には、車室内に音楽等の音が放射されているので、車室内に音が放射されているとする。また、ワイパー８２が作動している場合には、ワイパー８２の作動音やフロントガラスの摺動音、雨音等の音が車室内に放射されているとする。また、ウインカー８３が作動している場合には、ウインカー８３の作動音が車室内に放射されているとする。音検出部２ａは、オーディオ８１、ワイパー８２及びウインカー８３が非作動状態である場合には、音が車室内に放射されていないとする。
【００５１】
尚、音検出部２ａは、オーディオ８１、ワイパー８２及びウインカー８３以外にも車室内に音を放射する電装機器等の動作に基づいて車室内に音が放射されているか否かを検出するように構成することもできる。
【００５２】
上記車両制御ユニット６は、車両側のアイドリング停止条件が成立したときで、かつ、エアコン制御ユニット２からアイドリング停止の許可信号が出力されているときには、エンジンのアイドリングを所定時間だけ自動停止させるようになっているが、所定時間経過前に車両側の停止条件が成立しなくなったとき、または、エアコン制御ユニット２からアイドリング停止の禁止信号が出力されたときには、その時点でアイドリング自動停止を終了し、エンジンを再始動する。車両側のアイドリング停止条件とは、車速センサ７６により検出された車速が０で車両が停止し、かつ、インヒビタスイッチ７５によりセレクトレバーがニュートラルレンジ又はパーキングレンジに位置していることが検出され、かつ、ブレーキスイッチ７７によりブレーキペダルの踏み込み操作が検出されたときである。尚、車両制御ユニット６がエンジンのアイドリングの自動停止を許可する場合には、エンジン制御ユニット３に対してアイドリング停止許可信号を出力して、点火装置４や燃料噴射装置５を非作動状態にさせる。
【００５３】
次に、上記エアコン制御ユニット２の具体的な制御動作を図４〜図１２に基づいて説明する。この制御は、車両のイグニッションスイッチがＯＮとなったときにスタートし、極めて早いサイクル（数ｍｓ〜数十ｍｓ）で繰り返されるようになっている。
【００５４】
車両のイグニッションスイッチがＯＮにされると、図４に示すフローチャートのステップＳＡ１に進み、エアコン制御ユニット２は、上記センサ３７、３８、６５〜６７やスイッチ６８〜７３からの信号を読み込む。
【００５５】
その後、ステップＳＡ２に進み、エアミックスドア４６を制御する。エアミックスドア４６の制御にあたり、まず、目標温度を演算する。目標温度は、温度設定スイッチ６８の設定温度を含む空調条件に基づいて決定されるようになっている。そして、エバセンサ３７やヒータコアセンサ３８等の入力信号を考慮してエアミックスドア４６の開度（ＳＴＯ）を演算し、エアミックスアクチュエータモーター４８を作動させてエアミックスドア４６を所望の開度とする。このエアミックスドア４６の開度ＳＴＯは、開度値として出力されるようになっている。詳細は後述するが、エンジン自動停止時とエンジン運転時とでは、エアミックスドア４６の制御が異なっている。
【００５６】
しかる後、ステップＳＡ３に進んで、吹出モードを選択し、この選択した吹出モードとなるように吹出モードアクチュエータモーター６０を作動させるとともに、導入モードを選択し、この選択した導入モードとなるように内外気アクチュエータモーター２８を作動させる。尚、吹出モードと導入モードとは、同じタイミングで切り替えるようにしてもよいし、異なるタイミングで切り替えるようにしてもよい。
【００５７】
ステップＳＡ３において吹出モードを選択する際には、夏場のように、外気センサ６５により検出された外気温度が例えば約３０℃以上で高く強めの冷房が必要な場合には、吹出モードをベントモードにし、導入モードを内気導入モードとする。吹出モードをベントモードにすることで、冷風が乗員の上半身に向けて直接供給され、また、導入モードを内気導入モードとすることで、車室外の空気よりも目標温度に近い車室内の空気をケース２０に取り込むことができ、効率の良い冷房が可能になる。また、外気温度が例えば約２０℃で低く比較的弱めの冷房でよい場合には、吹出モードをバイレベルモードにし、導入モードを外気導入モードとする。一方、冬場のように、外気センサ６５により検出された外気温度が例えば約１０℃以下の低温で暖房が必要な場合には、吹出モードをヒートモードやヒートデフモードにし、導入モードを外気導入モードとする。導入モードを外気導入モードとすることで、乾燥した外気を車室に取り込んでウインドガラスの曇りが防止される。
【００５８】
次いで、ステップＳＡ４に進み、送風量が設定され、この設定された送風量となるように、ブロアモーター３３に印加される電圧が変更される。この送風量は、内気センサ６６で検出された車室内温度と目標温度との差が大きいほど増加する。そして、ステップＳＡ５に進み、コンプレッサー３６を作動させるか停止させるかを決定する。ステップＳＡ５では、エアコンスイッチ７０により設定されたエアコンモードがＡ／Ｃモード又はＥＣＯモードとされているときにはコンプレッサー３６を作動させ、ＯＦＦモードとされているときには、停止させる。ステップＳＡ５においてコンプレッサー３６を作動させるとした場合には、コンプレッサーＯＮ信号がエアコン制御ユニット２からエンジン制御ユニット３に出力され、このエンジン制御ユニット３によりコンプレッサー３６の電磁クラッチが接続状態とされる。一方、コンプレッサー３６を停止させるとした場合には、コンプレッサーＯＦＦ信号がエアコン制御ユニット２からエンジン制御ユニット３に出力され、電磁クラッチが断状態となる。
【００５９】
コンプレッサーＯＮ信号及びＯＦＦ信号は、エバセンサ３７の検出温度に基づいて出力されるようになっている。すなわち、コンプレッサーＯＮ信号は、エバセンサ３７の検出温度がＴｏｆ＋Ｄｉｆｆ（℃）となったときに出力され、コンプレッサーＯＦＦ信号は、エバセンサ３７の検出温度がＴｏｆ（℃）になったときに出力されるようになっている。従って、エバポレータ３５の温度状態は、少なくとも、Ｔｏｆ（℃）とＴｏｆ＋Ｄｉｆｆ（℃）との間で変化している。
【００６０】
図４のステップＳＡ５に続くステップＳＡ６では、アイドリング停止判定を行う。このアイドリング停止判定では、冷房時にはエバセンサ３７の検出温度に基づいて冷房を行うことができる状態であると判定されればアイドリング停止許可とし、冷房を行うことができない状態であると判定されればアイドリング停止禁止とする。同様に、暖房時にはヒータコアセンサ３８の検出温度に基づいて暖房を行うことができる状態であると判定されればアイドリング停止許可とし、暖房を行うことができない状態であると判定されればアイドリング停止禁止とする。この判定手法は従来周知の手法を用いることができるので詳細な説明は省略する。
【００６１】
そして、ステップＳＡ７では上記各ステップで得られたデータを出力する。
【００６２】
ステップＳＡ２におけるエアミックス制御について図５に示すフローチャートに基づいて詳細に説明する。まず、ステップＳＢ１では、車両制御ユニット６から出力されている信号に基づいてエンジンが自動停止中であるか否かを判定する。ステップＳＢ１でＮＯと判定されてエンジンが自動停止中でない場合には、ステップＳＢ２に進み、通常時の一般的なエアミックス制御を行ってエアミックスドア４６の開度を演算する。そして、エアミックスドア４６が演算した開度となるまでエアミックスアクチュエータモーター４８を直ちに駆動する。このときのエアミックスアクチュエータモーター４８の最小作動量はエアミックスドア４６の開度に換算して１％〜２％の範囲である。
【００６３】
一方、ステップＳＢ１でＹＥＳと判定されてエンジンが自動停止中である場合には、ステップＳＢ３に進んでオーディオ８１、ワイパー８２及びウインカー８３のいずれか１つまたは２つ以上が作動しているか否かを検出する。このステップＳＢ３は、音検出部２ａによって判定し、車室内に音が放射されているか否かを検出するステップである。オーディオ８１、ワイパー８２及びウインカー８３のいずれか１つまたは２つ以上が作動している場合には、ステップＳＢ７に進み、エンジン自動停止時第１エアミックス制御を行う。
【００６４】
エンジン自動停止時第１エアミックス制御を図６に示すフローチャートに基づいて説明する。
【００６５】
スタート後のステップＳＣ１では、エアミックス制御に必要な各種パラメータを読み込む。このパラメータとしては、エバセンサ３７の出力値、ヒータコアセンサ３８の出力値、エアミックスドア４６の開度、吹出空気の予測温度Ｔｉ、外気温度である。
【００６６】
ここで、吹出空気の予測温度Ｔｉを得る手順について図１２のフローチャートに基づいて説明する。スタート後のステップＳＧ１では、吹出温度の予測に必要な各種パラメータを読み込む。このパラメータとしては、エバセンサ３７の出力値、ヒータコアセンサ３８の出力値、アイドリング停止前のエアミックスドア４６の開度である。
【００６７】
ステップＳＧ１に続くステップＳＧ２では、エアコンスイッチ７０で設定されたコンプレッサー３６の動作モードを判定する。ステップＳＧ２において、コンプレッサー３６の動作モードがＡ／Ｃモード又はＥＣＯモードにあると判定されると、ステップＳＧ３に進む。
【００６８】
ステップＳＧ３では、図示するような右上がりの直線グラフに基づいて吹出空気の温度を予測する。このグラフの横軸は、エアミックスドア４６の開度を百分率で表しており、縦軸は、温度（℃）を表している。
【００６９】
Ａ点のエアミックスドア４６の開度は０％で、温度はコンプレッサーＯＦＦ信号を出力するときの温度Ｔｏｆ（例えば、４℃）である。エアミックスドア４６の開度が０％ということは、最大冷房時であり、バイパス通路４４が全開とされて加熱通路２２ｂが全閉となっており、導入された空気はエバポレータ３５のみを通過することになる。この予測時には、温度をＴｏｆに固定してＡ点が動かないようにしている。その理由は、上述のようにコンプレッサー３６が作動と停止とを繰り返すとエバポレータ３５の温度状態が変化することになるが、その変化する温度状態を吹出空気の温度予測に使うと、予測ロジックが煩雑になることが考えられ、これを回避するためである。
【００７０】
また、Ｂ点のエアミックスドア４６の開度は１００％で、温度は、アイドリング停止前にヒータコアセンサ３８で検出された温度Ｔｈ１である。エアミックスドア４６の開度が１００％ということは、最大暖房時であり、加熱通路２２ｂが全開とされているので、吹出空気の温度は、ヒータコアセンサ３８の検出温度と略同じになる。
【００７１】
そして、吹出空気の予測温度Ｔｉは、次式で求めることができる。
【００７２】
Ｔｉ（℃）＝Ｔｏｆ＋ｔａｎθ１×ＭＩＸａｃ  …  （１）
ｔａｎθ１＝（Ｔｈ１−Ｔｏｆ）／１００      …  （２）
【００７３】
ここで、ＭＩＸａｃは、アイドリング停止直前のエアミックスドア４６の開度である。
【００７４】
ステップＳＧ３で予測されたアイドリング停止前の吹出空気の予測温度Ｔｉは、続くステップＳＧ４で出力される。
【００７５】
また、ステップＳＧ２においてコンプレッサー３６の動作モードがＯＦＦモードにあると判定されると、ステップＳＧ５に進む。ステップＳＧ５では、図示するような右上がりの直線グラフに基づいて吹出空気の温度を予測する。このグラフの横軸及び縦軸は、ステップＳＧ３のものと同じである。Ｃ点のエアミックスドア４６の開度は０％で、温度は、アイドリング停止前のエバセンサ３７から出力された温度Ｔｍである。エアミックスドア４６の開度が０％（バイパス通路４４が全開）のときの吹出温度は、エバセンサ３７の検出温度と略同じになる。また、Ｄ点のエアミックスドア４６の開度及び温度は、ステップＳＧ３におけるＢ点と同じである。
【００７６】
そして、吹出空気の予測温度Ｔｉは、次式で求めることができる。
【００７７】
Ｔｉ（℃）＝Ｔｍ＋ｔａｎθ１×ＭＩＸａｃ  …  （３）
ｔａｎθ１＝（Ｔｈ１−Ｔｍ）／１００      …  （４）
【００７８】
ステップＳＧ５で予測されたアイドリング停止前の吹出空気の予測温度Ｔｉは、続くステップＳＧ４で出力される。
【００７９】
以上のようにして予測温度Ｔｉを求めた後、図６に示すステップＳＣ１に続くステップＳＣ２では、次式を演算する。
【００８０】
Ｔｈ（℃）＝Ｔｈ１−（Ｔｈ１−Ｔｈｉ）×Ｋ  …  （５）
【００８１】
ここで、Ｔｈは、エアミックス制御に用いるヒータコアの温度状態に関する制御値である。Ｔｈ１は、アイドリング停止前にヒータコアセンサ３８で検出された温度である。Ｔｈｉは、アイドリング停止後にヒータコアセンサ３８で検出された温度である。Ｋは、係数である。
【００８２】
Ｋの算出方法について図７及び図８に基づいて説明する。Ｋは、図７に示すグラフに基づいて得られたＫ１と、図８に示すグラフに基づいて得られたＫ２とを比較して大きい方の値で設定している。
【００８３】
まず、Ｋ１を得る図７のグラフについて説明する。図７のグラフの横軸は、エアミックスドア４６の開度（％）を表しており、縦軸は、係数Ｋ１を表している。エアミックスドア４６の開度が３０％以下（空調装置１の構造等により任意に変更可）であると、Ｋ１は０．０となる。３０％以下というのは、空調用空気の大部分が冷風通路２２ａを流れて調和空気は低温になるので、温度調節部２２が車室内の空気の温度を低下させる動作状態であり、空調装置１は冷房状態にあるということになる。一方、エアミックスドア４６の開度が５０％以上（空調装置１の構造等により任意に変更可）であると、Ｋ１は１．０となる。５０％以上というのは、加熱通路２２ｂに流れる空調用空気の量が増えて調和空気が高温になるので、温度調節部２２が車室内の空気の温度を上昇させる動作状態であり、空調装置１は暖房状態にあるということになる。エアミックスドア４６の開度が３０％よりも大きく５０％よりも小さい場合には、Ｋ１は、エアミックスドア４６の開度に比例して０．０〜１．０の間で値が設定される。
【００８４】
次に、Ｋ２を得る図８のグラフについて説明する。図８のグラフの横軸は、外気温度（℃）を表しており、縦軸は、係数Ｋ２を表している。外気温度が１０℃以下であると、Ｋ２は１．０となる。１０℃以下というのは、暖房が行われる状況である。外気温度が２０℃以上であると、Ｋ２は０．０となる。２０℃以上というのは冷房が行われる状況である。外気温度が１０℃よりも高く２０℃よりも低い場合には、Ｋ２は、外気温度に比例して０．０〜１．０の間で値が設定される。
【００８５】
このようにしてＫ１及びＫ２が得られ、大きい方をＫとする。
【００８６】
上記式（５）のＫに０．０を代入すると、（Ｔｈ１−Ｔｈｉ）項が消えるので、Ｔｈ＝Ｔｈ１となり、Ｔｈ（エアミックス開度補正制御に用いる制御値）は、Ｔｈ１（アイドリング停止前にヒータコアセンサ３８で検出された温度）となる。Ｔｈ１は、固定値であり、例えば、８５℃である。
【００８７】
一方、式（５）のＫに１．０を代入して整理すると、Ｔｈ＝Ｔｈｉとなり、Ｔｈは、Ｔｈｉ（アイドリング停止後にヒータコアセンサ３８で検出された温度）となる。アイドリング停止後にヒータコア４３の温度は時間の経過とともに変化するので、Ｔｈｉは、固定値とはならず、変化する値となる。Ｋに代入する値が、１．０よりも小さく０．０よりも大きい場合にもＴｈは変化することになる。
【００８８】
ステップＳＣ２を経て進んだステップＳＣ３では、ステップＳＣ２の演算結果がＴｈ＝Ｔｈ１であるか否かを判定する。ステップＳＣ３でＴｈ＝Ｔｈ１であると判定されたということは、空調装置１が冷房状態であるということである。ステップＳＣ３が空調状態判定部である。
【００８９】
ステップＳＣ３でＴｈ＝Ｔｈ１であると判定されて進んだステップＳＣ４では、図示するような右上がりの直線グラフに基づいてエアミックスドア４６の開度を補正する。このグラフの横軸は、エアミックスドア４６の開度を表しており、縦軸は、温度を表している。Ｅ点のエアミックスドア４６の開度は０％で、温度は、アイドリング停止直前のエバポレータ３５の温度、即ち、コンプレッサー３６のＯＦＦ信号を出力する際の温度Ｔｏｆであり、この値は時間の経過に従ってエバポレータ３５が暖められることによって上昇していく。エバポレータ３５の温度状態がＴｍまで上昇した場合をＦ点で示す。
【００９０】
Ｇ点のエアミックスドア４６の開度は１００％で、温度はアイドリング停止前のヒータコアセンサ３８から出力された温度Ｔｈ１である。このＴｈ１は、上述の如く８５℃に固定されている。
【００９１】
すなわち、空調装置１が冷房状態にあるときには、空調用空気は主にエバポレータ３５を通過することになるので、ヒータコア４３へのエンジン冷却水の供給が停止されていても、ヒータコア４３の温度は低下し難い。このとき、ヒータコア４３を通過する空気量が少なく空気の流速が遅いので、下流側にあるヒータコアセンサ３８の検出結果は、ヒータコア４３の温度状態とは異なる周りの空気の温度状態となることがあり、ヒータコア４３の温度状態との相関性が低下する。この相関性の低い検出結果が制御に反映されると、調和空気の温度が所望温度からずれてしまう。本実施形態では、冷房状態にあるときには、ヒータコア４３の温度を所定の固定値としてエアミックスドア４６を制御するので、ヒータコアセンサ３８による相関性の低い検出結果が制御に反映されることはない。
【００９２】
尚、冷房時におけるヒータコア４３の温度変化は上述の如くそれほど大きくないので、上記固定値としても制御上、問題とはならない。
【００９３】
また、ステップＳＣ４における吹出空気の予測温度Ｔｉは、図１２に示すフローチャートで得られた値である。
【００９４】
図６のステップＳＣ４で用いるグラフは、アイドリング停止直後においては、Ｅ点とＧ点とを結ぶ直線となるが、アイドリングが停止したまま時間が経過すると、エバポレータ３５の温度状態が上昇していくことから、グラフの傾きが徐々に緩やかになっていき、ある時点では、Ｆ点とＧ点とを結ぶ直線となる。このときに、吹出空気の予測温度Ｔｉに対応する開度であるＭＩＸｉが、補正後のエアミックスドア４６の開度となる。
【００９５】
ステップＳＣ４で得られたエアミックスドア４６の開度は、続くステップＳＣ５で出力される。
【００９６】
また、ステップＳＣ３においてＴｈ＝Ｔｈ１でない場合は、空調装置１が暖房状態であるということである。この場合、ステップＳＣ３からステップＳＣ６に進み、このステップＳＣ６では、図示するような右上がりの直線グラフに基づいてエアミックスドア４６の開度を補正する。このグラフの横軸及び縦軸は、ステップＳＣ４と同じである。
【００９７】
Ｈ点のエアミックスドア４６の開度は０％で、温度は、エバセンサ３７から出力された温度Ｔｅである。Ｉ点のエアミックスドア４６の開度は１００％で、温度は、アイドリング停止後のヒータコアセンサ３８から出力された温度Ｔｈ１であり、この値は時間の経過に従ってヒータコア４３が冷却されることによって下がっていく。Ｔｈまで下がった場合をＪ点で示す。
【００９８】
ステップＳＣ６で用いるグラフは、アイドリング停止直後においては、Ｈ点とＩ点とを結ぶ直線となるが、アイドリングが停止したまま時間が経過すると、ヒータコア４３の温度状態が下がっていくことから、グラフの傾きが緩やかになり、ある時点では、Ｈ点とＪ点とを結ぶ直線となる。このときに、予測温度Ｔｉに対応するエアミックスドア４６の開度であるＭＩＸｉが補正後のエアミックスドア４６の開度となる。
【００９９】
すなわち、空調装置１が暖房状態にあるときには、ヒータコア４３を通過する空調用空気の量が増え、しかも、アイドリングが停止していると、ヒータコア４３へのエンジン冷却水の供給が停止されているので、ヒータコア４３の温度は早く低下し易い。このとき、エアミックスドア４６の開度が大きくヒータコア４３を通過する空気量が多く空気の流速が速いので、その下流側にあるヒータコアセンサ３８の検出結果は、ヒータコア４３の温度状態と略相関している。そして、アイドリング停止時で、かつ、暖房状態である場合には、ヒータコアセンサ３８の温度変化に基づいてエアミックスドア４６の補正制御を行うので、エンジン冷却水の供給が停止した場合であっても、調和空気の温度を暖房に適した所望温度にすることが可能になる。
【０１００】
ステップＳＣ６で得られたエアミックス開度は、続くステップＳＣ５で出力される。出力された開度となるように、図４のステップＳＡ２でエアミックスドア４６が制御される。
【０１０１】
また、ファンスイッチ７２がＯＦＦであるときのように空調装置１が作動していないときには、アイドリング停止許可信号を出力する。
【０１０２】
つまり、図５に示すフローチャートのステップＳＢ３でＹＥＳと判定された場合には、オーディオ８１、ワイパー８２及びウインカー８３のいずれか１つまたは２つ以上が作動していて、それらの作動音（音楽、ワイパーモーター音、摺動音、ウインカー作動音等）が発生しているので、エアミックスアクチュエータモーター４８の作動音は他の音にかき消されて乗員に聞こえにくい状況である。この場合には、エンジン自動停止時第１エアミックス制御で演算された開度となるように、随時、エアミックスアクチュエータモーター４８を作動させる。このときのエアミックスアクチュエータモーター４８の最小作動量はエアミックスドア４６の開度に換算して１％〜２％の範囲である。
【０１０３】
一方、図５に示すフローチャートのステップＳＢ３でＮＯと判定されてオーディオ８１、ワイパー８２及びウインカー８３のいずれも作動していない場合には、ステップＳＢ４に進んで吹出空気の予測温度Ｔｉから導入空気温度（Ｔｉｎｔａｋｅ）を差し引いた値に基づいて、エアミックスドア４６の開度を補正する必要があるか否か、及び補正する場合には＋方向か−方向かを判定する。Ｔｉｎｔａｋｅとは、ケース２０の空気導入部２１から導入される空気の温度（℃）である。
【０１０４】
エアミックスドア４６の開度の補正とは、エンジンが自動停止した直後に、エアミックスドア４６をエンジン自動停止直前の位置から動かすことであり、この動かす量を補正量とする。エンジンが自動停止した直後とは、例えば、エンジン停止信号が出力されて１秒以内である。点火装置４や燃料噴射装置５を非作動状態となっても、エンジンは慣性によって完全に停止するまで時間がかかり、その間は、音や振動等が発生する。
【０１０５】
ステップＳＢ４では、図９に示すグラフに基づいて判定する。すなわち、図９のグラフの縦軸は、エアミックスドア４６の開度の補正量（％）であり、横軸は予測温度Ｔｉから導入空気温度Ｔｉｎｔａｋｅを差し引いた値（℃）である。導入空気温度Ｔｉｎｔａｋｅは、内気導入モード時には、内気センサ６６で検出された車室内温度とし、外気導入モード時には、外気センサ６５で検出された外気温度とする。
【０１０６】
Ｔｉ−Ｔｉｎｔａｋｅが−５℃以上、かつ、＋５℃以下の範囲にある場合には、補正量は０、即ち、補正不要と判定し、図５に示すフローチャートのステップＳＢ７に進んで上述したエンジン自動停止時第１エアミックス制御を行う。Ｔｉ−Ｔｉｎｔａｋｅが−５℃以上、かつ、＋５℃以下の範囲にある場合は、外気温と車室内温度との差が小さいので、エンジン自動停止時第１エアミックス制御を行ったとしても、エアミックスドア４６をほとんど動かさなくて済む。
【０１０７】
図９に示すように、Ｔｉ−Ｔｉｎｔａｋｅが−２０℃以上、かつ、−５℃未満の範囲にある場合には、補正量は−５％未満とされる。「−」とは、エアミックスドア４６の開度を０％側へ補正するということである。Ｔｉ−Ｔｉｎｔａｋｅが−２０℃よりも低い範囲にある場合には、補正量は一律に−５％とされる。
【０１０８】
また、Ｔｉ−Ｔｉｎｔａｋｅが５℃よりも高く、かつ、２５℃以下の範囲にある場合には、補正量は１０％未満とされる。「＋」とは、エアミックスドア４６の開度を１００％側へ補正するということである。Ｔｉ−Ｔｉｎｔａｋｅが２５℃よりも高い範囲にある場合には、補正量は１０％とされる。
【０１０９】
図５に示すフローチャートのステップＳＢ４において、−方向の補正が必要な場合には、ステップＳＢ５に進む一方、＋方向の補正が必要な場合には、ステップＳＢ６に進む。
【０１１０】
ステップＳＢ５では、エンジン自動停止時第２エアミックス制御（−方向）を行う。このエンジン自動停止時第２エアミックス制御（−方向）では、まず、エンジン自動停止時第１エアミックス制御におけるエアミックスドア４６の開度を演算する手法を用いてエアミックスドア４６の開度を演算する。この段階では開度を演算するだけであり、エアミックスアクチュエータモーター４８は作動させない。
【０１１１】
エンジン自動停止時第２エアミックス制御（−方向）について図１０に示すグラフに基づいて説明する。図１０のグラフの縦軸はエアミックスドア４６の開度であり、上が１００％、下が０％である。横軸は、時間軸である。グラフ中の斜線は、エンジン自動停止時第１エアミックス制御の手法で演算したエアミックスドア４６の開度である。
【０１１２】
ＭＩＸｆｃは、上記ステップＳＢ３で求めた−方向の補正量である。従って、エンジン自動停止時第２エアミックス制御（−方向）では、エンジン自動停止時第１エアミックス制御の手法で演算したエアミックスドア４６の開度を、一律、ステップＳＢ３で求めた−方向の補正量だけ補正し、エアミックスドア４６がその補正後の開度となるように、エアミックスアクチュエータモーター４８を作動させる。
【０１１３】
エアミックスアクチュエータモーター４８を所定作動量だけ−方向に作動させた後は、エンジンが自動停止している間、エンジン自動停止時第１エアミックス制御の手法でエアミックスドア４６の開度をエンジン自動停止中開度として演算して得て、その演算したエンジン自動停止中開度が補正後の開度となったときに、エアミックスドア４６が演算されたエンジン自動停止中開度となるようにエアミックスアクチュエータモーター４８を随時作動させる。これにより、細かな温度調節が可能になる。
【０１１４】
次に、エンジン自動停止時第２エアミックス制御（＋方向）について図１１に示すグラフに基づいて説明する。図１１のグラフの縦軸はエアミックスドア４６の開度であり、上が１００％、下が０％である。横軸は、時間軸である。グラフ中の斜線は、エンジン自動停止時第１エアミックス制御の手法で演算したエアミックスドア４６の開度である。
【０１１５】
ＭＩＸｆｗは、上記ステップＳＢ３で求めた＋方向の補正量である。従って、エンジン自動停止時第２エアミックス制御（＋方向）では、エンジン自動停止時第１エアミックス制御の手法で演算したエアミックスドア４６の開度を、一律、ステップＳＢ３で求めた＋方向の補正量だけ補正し、エアミックスドア４６がその補正後の開度となるように、エアミックスアクチュエータモーター４８を作動させる。
【０１１６】
エアミックスアクチュエータモーター４８を所定作動量だけ＋方向に作動させた後は、−方向に作動させた場合と同様に、エンジンが自動停止している間、エンジン自動停止時第１エアミックス制御の手法でエアミックスドア４６の開度をエンジン自動停止中開度として演算して得て、その演算したエンジン自動停止中開度が補正後の開度となったときに、エアミックスドア４６が演算されたエンジン自動停止中開度となるようにエアミックスアクチュエータモーター４８を随時作動させる。
【０１１７】
つまり、エンジン自動停止時第２エアミックス制御（−方向）及びエンジン自動停止時第２エアミックス制御（＋方向）の両制御では、エンジンが自動停止した直後において、音検出部２ａによって車室内に音が放射されていないと検出された場合には、エアミックスアクチュエータモーター４８の作動量をエンジン自動停止前に比べて大きな所定作動量としてエアミックスアクチュエータモーター４８を作動させる。エンジンが自動停止した直後は、エンジン停止後の音の余韻やエンジンの振動等がある状況であり、このときにはエアミックスアクチュエータモーター４８の作動量が大きくても、その作動音がエンジン停止後の音の余韻やエンジンの振動等によってかき消されて乗員の耳に届きにくなる。
【０１１８】
以上説明したように、この実施形態に係る車両用空調装置１によれば、エンジンが自動停止した直後に、車室内に電装機器等によって音が放射されていない場合、エアミックスアクチュエータモーター４８を大きな作動量として作動させるようにしている。これにより、エアミックスアクチュエータモーター４８の作動音が耳障りにならないようにすることができる。
【０１１９】
また、エンジンが自動停止している間にもエアミックスドア４６の開度を演算してエンジン自動停止中開度として得て、演算されたエンジン自動停止中開度が補正後の開度となったときに、エアミックスドア４６がエンジン自動停止中開度となるようにエアミックスアクチュエータモーター４８を作動させることができる。これにより、エアミックスドア４６の開度をエンジンの自動停止中に得て、その開度となるようにエアミックスドア４６を作動させることができるので、乗員の快適性を向上させることができる。
【０１２０】
上述の実施形態はあらゆる点で単なる例示に過ぎず、限定的に解釈してはならない。さらに、特許請求の範囲の均等範囲に属する変形や変更は、全て本発明の範囲内のものである。
【産業上の利用可能性】
【０１２１】
以上説明したように、本発明に係る車両用空調装置は、例えば、エンジンにより駆動される補機から供給される熱媒体との熱交換によって車室内への送風空気を加熱又は冷却する熱交換器を有する車両において、車両の停止時にエンジンのアイドリングを自動停止させるようにする場合に有用である。
【符号の説明】
【０１２２】
１            空調装置
２            エアコン制御ユニット（空調制御装置）
２ａ          音検出部
３            エンジン制御ユニット
６            車両制御ユニット（エンジン自動停止制御装置）
２２ａ        冷却通路
２２ｂ        加熱通路
３５          エバポレータ（冷却用熱交換器）
３６          コンプレッサー（補機）
３７          エバセンサ（冷却側温度検出部）
３８          ヒータコアセンサ（加熱側温度検出部）
４３          ヒータコア（加熱用熱交換器）
４４          エアミックス空間
４６          エアミックスドア
４８          エアミックスアクチュエータモーター
【図１】
2014193640.tif 000003
【図２】
2014193640.tif 000004
【図３】
2014193640.tif 000005
【図４】
2014193640.tif 000006
【図５】
2014193640.tif 000007
【図６】
2014193640.tif 000008
【図７】
2014193640.tif 000009
【図８】
2014193640.tif 000010
【図９】
2014193640.tif 000011
【図１０】
2014193640.tif 000012
【図１１】
2014193640.tif 000013
【図１２】
2014193640.tif 000014